(57)【要約】【課題】ファッション性のあるアクセサリーとしても楽しむことができるような形状や色合いであるとともに、確実な導電性を有する携帯端末用タッチペンを提供する。【解決手段】携帯端末用のタッチペンであって、所定の形状に形成された本体と、前記本体の先端に形成され、携帯端末のタッチパネルに触れるタッチ部とを具備し、前記本体は、導電性樹脂で構成され、前記本体の表面には導電性塗料が塗布されることを特徴とする携帯端末用タッチペンである。【選択図】図１
0003180131.tif 000002
【実用新案登録請求の範囲】
【請求項１】
携帯端末用のタッチペンであって、
所定の形状に形成された本体と、
前記本体の先端に形成され、携帯端末のタッチパネルに触れるタッチ部と、
を具備し、
前記本体は、弾性率が７００ＭＰａ未満の非硬質樹脂からなる導電性樹脂で構成され、前記本体の表面の少なくとも一部には導電性塗料が塗布されることを特徴とする携帯端末用タッチペン。
【請求項２】
前記タッチ部は、前記本体を形成する素材と同一の素材により一体で形成されることを特徴とする請求項１に記載の携帯端末用タッチペン。
【請求項３】
前記タッチ部は、前記本体を形成する素材とは異なる素材により形成されるとともに、前記タッチ部を形成する素材は、本体を形成する素材より低硬度であることを特徴とする請求項１に記載の携帯端末用タッチペン。
【請求項４】
前記本体は複数の部材を互いに接着剤によって接着して組み立てられるとともに、前記部材同士は、接着部以外においても接触していることを特徴とする請求項１から請求項３のいずれかに記載の携帯端末用タッチペン。
【考案の詳細な説明】
【技術分野】
【０００１】
本考案は、スマートフォンや携帯型タブレット端末などの携帯端末に使用されるタッチペンに関する。
【背景技術】
【０００２】
今や、スマートフォンや携帯型タブレット端末は広く普及し、これらの画面をタッチ操作するためのタッチペンもまた様々なものが提供されている。例えば、ストラップ付きのキャップ内にタッチペン用伸縮軸を接続し、伸縮軸の先端に携帯端末の画面タッチ用の導電性ゴムを取り付けたものがある。そして、タッチペンの使用時には伸縮軸を伸ばし、使用時以外には伸縮軸を縮小してキャップ内に収めるようにしている。
【０００３】
このようにストラップ付きのタッチペンであれば、携帯端末とともに携行できるので、タッチペンだけを紛失してしまうことがない。また、携帯端末使用時には、いつでもタッチペンも共に取り出して使用することができる（特許文献１）。
【先行技術文献】
【特許文献】
【０００４】
【特許文献１】実用新案登録第３１７７０６１号
【考案の概要】
【考案が解決しようとする課題】
【０００５】
しかしながら、近年では、携帯端末本体に使用者の好みにあったカバーをかけたり、アクセサリーとしてストラップを取り付けるなど、単なる端末機器としての使用目的にとどまらず、ファッションとしての意味合いを大きく占めるようになってきている。
【０００６】
そのような傾向にもかかわらず、上記のようなペンの先端に導電性ゴムを取り付けたタッチペンでは、形状や色合いの豊かさに欠け、ファッション性のあるアクセサリーとして楽しむことが困難である。
【０００７】
本考案は、このような問題に鑑みてなされたもので、様々な形状や色合い有するとともに確実な導電性を有する携帯端末用タッチペンを提供することを目的とするものである。
【課題を解決するための手段】
【０００８】
前述した目的を達成するために、本考案は、携帯端末用のタッチペンであって、所定の形状に形成された本体と、前記本体の先端に形成され、携帯端末のタッチパネルに触れるタッチ部とを具備し、前記本体は、弾性率が７００ＭＰａ未満の非硬質樹脂からなる導電性樹脂で構成され、前記本体の表面には導電性塗料が塗布されることを特徴とする携帯端末用タッチペンである。
【０００９】
本考案によれば、所定の形状に形成された導電性樹脂からなる本体の表面に導電性塗料が塗布されている。この本体の先端に、タッチ部が形成されている。
【００１０】
したがって、本体は、導電性樹脂と導電性塗料により、確実な導電性を有し、先端のタッチ部によるタッチ操作を容易に行うことができる。また、樹脂と塗料により、本体の形状や色合いも多様に提供することができるので、使用者は、ファッション性のあるアクセサリーとして楽しむこともできる。
【００１１】
また、本体が非硬質樹脂からなるため、使用者が本体を手で持ったときに、硬すぎず握りやすい。このため、長時間持っても疲れにくい。また、タッチ部と本体とが同一素材により一体的に形成された場合でも、タッチ部が携帯端末のタッチパネルを傷つける恐れがない。
【００１２】
また、前記タッチ部は、前記本体を形成する素材と同一の素材により一体で形成されるようにしてもよい。
【００１３】
このような構成とすることで、タッチペンとしての機能を有しつつ、外観は携帯端末用アクセサリーそのものである。したがって、より一層ファッション性を高めることができる。
【００１４】
また、前記タッチ部は、前記本体を形成する素材とは異なる素材により形成されるとともに、前記タッチ部を形成する素材は、本体を形成する素材より低硬度であるようにしてもよい。
【００１５】
タッチ部は、携帯端末のタッチパネルに触れるためのものである。このように、本体よりも低硬度な別素材で形成すれば、携帯端末のタッチパネルを傷つける恐れがない。
【００１６】
さらに、前記本体は複数の部材を互いに接着剤によって接着して組み立てられるとともに、前記部品同士は、接着部以外においても接触しているようにするとよい。
【００１７】
このように構成することで、本体の形状として、より複雑なものを提供することができる。また、互いの部品は、接着剤によって接着されているので、本体の形状を安定して保持することができる。
【００１８】
さらに、互いの部材同士は、接着部以外においても接触していることから、互いの部品同士は導通することができる。
【考案の効果】
【００１９】
本考案によれば、様々な形状や色合いを有するとともに、確実な導電性を有する携帯端末用タッチペンを提供することができる。
【図面の簡単な説明】
【００２０】
【図１】携帯端末用タッチペン１００の全体構成図。
【図２】携帯端末用タッチペン１００の断面図。
【図３】携帯端末用タッチペン１００を携帯端末２００に取り付けた様子を示す図。
【図４】携帯端末用タッチペン１００の使用例を示す図。
【図５】他の実施形態である携帯端末用タッチペン３００を示す図。
【図６】携帯端末用タッチペン３００の断面図。
【図７】他の実施形態である携帯端末用タッチペン４００を示す図。
【考案を実施するための形態】
【００２１】
以下、図面を参照にしながら本考案の実施形態について説明する。本実施形態としてあげられる携帯端末は例えばスマートフォンである。
【００２２】
まず、図１および図２を参照しながら、携帯端末用タッチペン１００について説明する。
【００２３】
図１は、携帯端末用タッチペン１００の全体構成図である。携帯端末用タッチペン１００は、本体１と本体１の先端に設けられたタッチ部２とにより構成されている。
【００２４】
携帯端末用タッチペン１００の本体１の頭頂部には、係合部材５が取り付けられている。さらに、係合部材５には、ストラップ４およびプラグ３が接続されている。このため、携帯端末用タッチペン１００は、後述する携帯端末に差し込んで携帯端末とともに携行可能である。
【００２５】
図２は携帯端末用タッチペン１００の本体１の断面図である。本体１は、所定形状に形成された複数の導電性樹脂部材１１ａ、１１ｂ、１１ｃからなる。導電性樹脂部材１１ａ、１１ｂ、１１ｃは、それぞれ、導電性の樹脂によって構成される。また、導電性樹脂部材１１ａ、１１ｂ、１１ｃの表面には、それぞれ、導電性塗料１ａ、１ｂ、１ｃが塗布される。図示した例では、導電性樹脂部材１１ａは上段のアイスクリーム形状であり、導電性樹脂部材１１ｂは、下段のアイスクリーム形状であり、導電性樹脂部材１１ｃは、アイスクリームコーン形状である。
【００２６】
このように複数の導電性樹脂部材１１ａ、１１ｂ、１１ｃにより本体１を形成することで、複雑な形状を表現することができる。なお、導電性樹脂部材１１ａ、１１ｂ、１１ｃを構成する導電性樹脂材料は、全て同一であっても良く、または異なっても良い。また、導電性塗料１ａ、１ｂ、１ｃも、全て同一であっても良く、または異なっても良く、形状や配色等に応じて適宜選択される。また、例えば黒色の部位には導電性塗料を設けずに、導電性樹脂自体の色を露出させても良い。
【００２７】
導電性樹脂部材１１ｃの先端部はタッチ部２となる。すなわち、タッチ部２は本体１（導電性樹脂部材１１ｃ）と一体で構成され、本体１の一部にタッチ部２が形成される。タッチ部２は、後述するようにタッチパネルに触れる部位である。
【００２８】
導電性樹脂部材１１ａと導電性樹脂部材１１ｂとは、必要に応じて接着剤６により接着固定されている。なお、接着剤６としては、導電性接着剤であっても良く、非導電性の接着剤であっても良い。非導電性の接着剤を用いた場合には、接着剤６の塗布されない他の部位において、互いに密に接触して導通した状態で保持される。
【００２９】
同様に、導電性樹脂部材１１ｂと導電性樹脂部材１１ｃとが、必要に応じて接着剤６によって接着固定されている。また、接着剤６の塗布されない他の部位においても、互いに密に接触し導通した状態で保持される。
【００３０】
このように、互いの部材を接着剤６によって接着することで、本体１の形状を安定して保持することができる。また、互いの部材同士は、接着剤６による接着部以外においても接触していることから、互いの部材同士を導通させることができ、携帯端末用タッチペン１００としての機能を十分に果たすことができる。
【００３１】
ここで、導電性樹脂部材１１ａ、１１ｂおよび１１ｃの素材としては、曲げ弾性率もしくは引っ張り弾性率が７００ＭＰａの非硬質樹脂であることが望ましい（ＪＩＳＫ６９００の規格下において、指定条件の下で、曲げ弾性率もしくは引っ張り弾性率が７００ＭＰａより大きい樹脂は硬質樹脂と定義される）。また、さらに望ましくは、曲げ弾性率もしくは引っ張り弾性率が、５０〜８０ＭＰａ程度の軟質樹脂または半硬質樹脂である。硬質樹脂を用いたのでは、手にフィットしにくく、また、タッチ部が硬すぎると、タッチパネルを傷つける恐れがあるためである。
【００３２】
また、導電性樹脂の曲げ弾性率もしくは引っ張り弾性率が小さく、軟らかすぎると、却って持ちにくくなるためである。本考案の導電性樹脂としては、例えば導電性が付与された非硬質のポリ塩化ビニル（ＰＣＶ）、熱可塑性ゴム（ＴＰＲ）、シリコンゴムなどを用いることができる。
【００３３】
このような素材を採用することで、使用者が本体１を手で持ったときに、硬すぎず握りやすい。このため、長時間持っても疲れにくい。また、タッチ部２と本体１とが同一素材により一体的に形成されていても、タッチ部２が携帯端末のタッチパネルを傷つける恐れがない。
【００３４】
このような導電性塗料を導電性樹脂に塗布することで、確実な導電性を有することができる。また、色合いも多様に提供することができるので、使用者は、ファッション性のあるアクセサリーとして楽しむこともできる。
【００３５】
続いて、図３および図４を参照しつつ、携帯端末用タッチペン１００の使用例について説明する。
【００３６】
図１において上述したように、携帯端末用タッチペン１００にはプラグ３が接続されている。図３に示すように、携帯端末用タッチペン１００の使用時以外には、携帯端末２００のイヤホンジャック２０１にプラグ３を差し込み、携帯端末２００に携行する。
【００３７】
一方、携帯端末用タッチペン１００を使用するときには、図４に示すように、携帯端末２００から携帯端末用タッチペン１００を取り外し、タッチ部２をタッチパネル２０２に触れながら使用する。
【００３８】
なお、携帯端末用タッチペン１００を携帯端末２００に携行させ使用する方法としては、これに限るものではない。例えば、本考案では、イヤホンジャック２０１に差し込めるプラグ３を設けたが、ストラップ４をストラップ穴に取り付けるようにしてもよい。この場合、携帯端末から取り外しやすいように、係合部材５をクリップタイプのリングとして、係合部材５の部分から携帯端末用タッチペン１００を容易に取り外せるようにしてもよい。
【００３９】
また、ストラップ４の部分をバネ状もしくはゴム状の材質のものとして、携帯端末から携帯端末用タッチペン１００を取り外さなくても使用することができるようにしてもよい。
【００４０】
本実施の形態によれば、本体１が、導電性樹脂および導電性塗料とで構成されるため、携帯端末用タッチペン１００としての機能を有しつつ、外観は携帯端末用アクセサリーそのものである。したがって、より一層ファッション性を高めている。なお、携帯端末用タッチペン１００は、全体が、適度な弾性率を有する素材からなるため、携帯端末用タッチペン１００のいずれの部位でも、タッチパネル２０２の操作が可能である。したがって、タッチパネルに対してある程度の接触面積が確保される部位であれば、タッチ部２はいずれの部位であっても良い。なお、タッチ部２として望ましい形態としては、Φ４．０ｍｍ〜Φ５．５ｍｍ程度の円形断面形状である。
【００４１】
続いて、本考案にかかる第２の実施形態について、図５および図６を参照しつつ説明する。なお、上述した第１の実施形態と同様の構成については、同一の番号を付与し、その説明を省略する。
【００４２】
携帯端末用タッチペン３００は携帯端末用タッチペン１００と略同様の構成であるが、タッチ部７の態様が異なる。携帯端末用タッチペン３００では、本体２１とタッチ部７とが別体で構成される。
【００４３】
本体２１において、導電性樹脂部材２３ａ、導電性樹脂部材２３ｂについては、上述した携帯端末用タッチペン１００における、導電性樹脂部材１１ａ、導電性樹脂部材１１ｂと同様である。
【００４４】
本体２１の導電性樹脂部材２３ｃの底部は、タッチ部７およびタッチ部保持部材９を嵌合させて保持するための穴が形成されている。
【００４５】
タッチ部保持部材９は、タッチ部７を保持しつつ、本体２１の導電性樹脂部材２３ｃの底部の穴へ押し込まれる。このとき、タッチ部保持部材９の突起部分が導電性樹脂部材２３ｃの内部に引っ掛かり、タッチ部７を挟み込むようにして保持される。
【００４６】
タッチ部７およびタッチ部保持部材９は、本体２１を形成する素材とは異なる素材により形成される。とりわけ、タッチ部７を形成する素材は、本体２１を形成する素材より低硬度であるようにするとよい。この場合、例えば、本体２１を非硬質樹脂とし、タッチ部７を導電性ゴムや導電性シリコンなどとすればよい。
【００４７】
タッチ部７は、携帯端末のタッチパネルに触れるためのものである。このように、本体２１よりも低硬度な別素材で形成すれば、携帯端末のタッチパネルを傷つける恐れがない。
【００４８】
さらに、本考案にかかる第３の実施形態について図７を参照しつつ説明する。
【００４９】
第３の実施形態である携帯端末用タッチペン４００は、携帯端末のイヤホンジャックに差し込むプラグにタッチペンの機能を備えた、プラグ兼タッチ部１３を有している。プラグ兼タッチ部１３の素材としては、第１および第２の実施形態と同様に、導電性が付与された非硬質のポリ塩化ビニル（ＰＣＶ）、熱可塑性ゴム（ＴＰＲ）、シリコンゴムなどが好適である。プラグ兼タッチ部１３の上部には、マスコット部３１が形成され、携帯端末用タッチペン４００の使用時以外には、アクセサリーとして楽しむことができる。
【００５０】
なお、マスコット部３１は、前述した実施形態の本体１および本体２１と同様に、導電性樹脂に導電性塗料を塗布して形成される。また、前述した実施形態と同様に、複数の部材を接合して設けることもできる。
【００５１】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において、各種の変更例または修正例に想到しうることは明らかであり、それらについても当然に本考案の技術的範囲に属するものと了承される。
【００５２】
例えば、携帯端末用タッチペンの本体は、複数の部材を接合しても良く、単体であっても良い。
【符号の説明】
【００５３】
１、２１………本体
１ａ、１ｂ、１ｃ………導電性塗料
２、７………タッチ部
３………プラグ
４………ストラップ
５………係合部材
６………接着剤
９………タッチ部保持部材
１１ａ、１１ｂ、１１ｃ、２３ａ、２３ｂ、２３ｃ………導電性樹脂部材
１３………プラグ兼タッチ部
３１………マスコット部
１００、３００、４００………携帯端末用タッチペン
２００………携帯端末
２０１………イヤホンジャック
２０２………タッチパネル
【図１】
0003180131.tif 000003
【図２】
0003180131.tif 000004
【図３】
0003180131.tif 000005
【図４】
0003180131.tif 000006
【図５】
0003180131.tif 000007
【図６】
0003180131.tif 000008
【図７】
0003180131.tif 000009